(57)【要約】【課題】様々な構成の光学シートを選別することができる光学シート選別装置を提供する【解決手段】本発明によれば、１枚又は複数枚のシートから構成される光学シートを選別する光学シート選別装置であって、光学シートへ光を照射する発光素子１０１と、所定の偏光成分の光を透過させる検光子１０６と、光学シートを透過した光の輝度及び角度特性を測定する光学特性測定部１０２と、輝度及び角度特性に基づいて光学シートの構成を判定する判定部１０３と、判定部１０３による判定に基づいて光学シートを選別する選別部１０４と、を備えることを特徴とする、光学シート選別装置が提供される。本発明によれば、光学シートを透過する光の輝度及び角度特性に基づいて光学シートを選別するため、様々な構成の光学シートを選別することができる。【選択図】図２
2013130749.tif 000002
【特許請求の範囲】
【請求項１】
１枚又は複数枚のシートから構成される光学シートを選別する光学シート選別装置であって、
光学シートへ光を照射する発光素子と、
所定の偏光成分の光を透過させる検光子と、
光学シートを透過した光の輝度及び角度特性を測定する光学特性測定手段と、
輝度及び角度特性に基づいて光学シートの構成を判定する判定手段と、
前記判定手段による判定に基づいて光学シートを選別する選別手段と、を備えることを特徴とする、光学シート選別装置。
【請求項２】
前記光学特性測定手段は、少なくとも２つの異なる偏光成分の光の輝度を測定することを特徴とする、請求項１に記載の光学シート選別装置。
【請求項３】
前記光学特性測定手段は、光学シートと平行な平面方向の少なくとも２つの異なる方位角における光の角度特性を測定することを特徴とする、請求項１に記載の光学シート選別装置。
【請求項４】
前記光学特性測定手段は、異なる偏光成分の光の輝度の差によって光学シートに含まれる偏光反射シートの枚数を判定することを特徴とする、請求項２に記載の光学シート選別装置。
【請求項５】
前記判定手段は、異なる方位角における角度特性の差によって光学シートに含まれるレンズシートの枚数を判定することを特徴とする、請求項３に記載の光学シート選別装置。
【請求項６】
前記発光素子は、光学シートへ平行光を照射することを特徴とする、請求項１から５の何れか１つに記載の光学シート選別装置。
【請求項７】
光学シートの厚さを測定する厚さ測定手段をさらに備え、
前記選別手段は、前記判定手段による判定及び光学シートの厚さに基づいて光学シートを選別することを特徴とする、請求項１から６の何れか１つに記載の光学シート選別装置。
【発明の詳細な説明】
【技術分野】
【０００１】
本発明は、液晶表示装置を構成する光学シートの選別装置に関する。
【背景技術】
【０００２】
液晶パネル、プラズマディスプレイパネル、有機ＥＬパネル、電解放出型ディスプレイパネルなどの薄型パネルのユニットを搭載する薄型テレビが表示装置として知られている。近年、この薄型テレビの需要が、省電力、省スペース、軽量かつデジタル放送の受像に適するといった特性から、近年の地球環境問題への関心の高まりによって増加しており、特に大型の液晶パネルユニットを搭載した大画面の液晶テレビの需要が劇的に増加している。これに伴い、液晶テレビの廃棄量も今後増加することが予想される。環境配慮の点から、廃棄物を削減し、循環型社会に貢献するために、廃棄後の液晶テレビ部材の再資源化技術の開発が要求されている。
【０００３】
しかし、液晶テレビから単一の素材として回収できる金属や樹脂のリサイクルは行われているものの、液晶テレビが比較的新しい製品であり、現状では比較的廃棄物の量が少ないことから、液晶テレビに対してはブラウン管テレビのような適切なリサイクル方法は実用化されていない。
【０００４】
図１０に、一般的な液晶表示装置の構成を示す。液晶表示装置３００は、液晶パネル３０１、バックライトユニット３０２、及び液晶パネル３０１とバックライトユニット３０２の間に配置される光学シート３０３を備える。液晶パネル３０１は、バックライトユニット３０２側から下偏光板３０４、ＴＦＴ基板３０５、液晶層３０６、ＣＦ基板３０７、上偏光板３０８の順に積層して構成されている。バックライトユニット３０２は、導光板や光源を含み、液晶パネル３０１へ光を照射する。光学シート３０３は、液晶表示画面の高輝度化や面輝度均一化などの画像品位改善のため、光反射、変更、屈折など高度の光制御技術を利用し樹脂部材表面に多数のマイクロレンズアレイを形成するなどの手段を施した複数枚のフィルムシートから構成される。
【０００５】
特許文献1は、このような複数枚のフィルムシートから構成された光学シート（特許文献1における光学素子に相当）のリサイクル方法、再利用方法及び分別方法が開示されている。特許文献１は、光学シートを包括部材で内包し、該包括部材に識別素子を設けている。該識別素子には、光学シートの材質、機能、フィルム構成などの情報が格納され、格納されている情報に基づいて、光学シートを選別し、リサイクルや再利用を行っている。
【先行技術文献】
【特許文献】
【０００６】
【特許文献１】特開２０１０−２３３０４号公報
【発明の概要】
【発明が解決しようとする課題】
【０００７】
しかしながら、特許文献１は、識別素子が設けられた光学シートしか選別できないため、識別素子が無く光学シートを構成するシートの種類が分からないものを選別することができないという課題がある。
【０００８】
本発明は上記の課題を解決するためになされたものであり、その目的は、構成が不明な光学シートを、光学特性に基づいて構成を判定して選別することで、様々な構成の光学シートを選別することができる光学シート選別装置を提供することにある。
【課題を解決するための手段】
【０００９】
上記課題を解決するために、本発明の光学シート選別装置は、１枚又は複数枚のシートから構成される光学シートを選別する光学シート選別装置であって、光学シートへ光を照射する発光素子と、所定の偏光成分の光を透過させる検光子と、光学シートを透過した光の輝度及び角度特性を測定する光学特性測定手段と、輝度及び角度特性に基づいて光学シートの構成を判定する判定手段と、判定手段による判定に基づいて光学シートを選別する選別手段と、を備えることを特徴とする。
【００１０】
光学特性測定手段は、少なくとも２つの異なる偏光成分の光の輝度を測定してもよい。
【００１１】
光学特性測定手段は、光学シートと平行な平面方向の少なくとも２つの異なる方位角における光の角度特性を測定してもよい。
【００１２】
光学特性測定手段は、異なる偏光成分の光の輝度の差によって光学シートに含まれる偏光反射シートの枚数を判定してもよい。
【００１３】
判定手段は、異なる方位角における角度特性の差によって光学シートに含まれるレンズシートの枚数を判定してもよい。
【００１４】
発光素子は、光学シートへ平行光を照射してもよい。
【００１５】
光学シートの厚さを測定する厚さ測定手段をさらに備え、選別手段は、判定手段による判定及び光学シートの厚さに基づいて光学シートを選別してもよい。
【発明の効果】
【００１６】
本発明の光学シート選別装置によれば、光学シートの構成を光学特性に基づいて判定して選別するので、様々な構成の光学シートを選別することができるという効果を有する。
【図面の簡単な説明】
【００１７】
【図１】第一の実施形態に係る光学シート選別装置に用いられる光学シートの一例を示す概略図である。
【図２】第一の実施形態に係る光学シート選別装置の概略を示す概略図である。
【図３】第一の実施形態に係る光学シート選別装置で測定する光の輝度について説明するための説明図である。
【図４】第一の実施形態に係る光学シート選別装置で測定する光の強度分布について説明するための説明図である。
【図５】第一の実施形態に係る光学シート選別装置で偏光反射シートを含む光学シートの角度特性を測定した結果を示す図であり、異なる２つの偏光成分の光の角度特性を説明するための説明図である。
【図６】第一の実施形態に係る光学シート選別装置で拡散シートとレンズシートの角度特性をそれぞれ測定した結果を説明するための説明図である。
【図７】第一の実施形態に係る光学シート選別装置でレンズシートを含む光学シートの角度特性を測定した結果を示す図であり、直交する２つの方向における角度特性を説明するための説明図である。
【図８】第一の実施形態に係る光学シート選別装置による光学シートの構成を判定する処理の概略を説明するための概略図である。
【図９】第二の実施形態に係る光学シート選別装置の概略を示す概略図である。
【図１０】一般的な液晶表示装置の構成を示す概略図である。
【発明を実施するための形態】
【００１８】
[第一の実施形態]
【００１９】
以下、本発明の第一の実施形態について、図１から図８に基づいて説明する。なお、本明細書及び図面において、実質的に同一の機能構成を有する構成要素については、同一の符号を付して説明を省略している。
【００２０】
図１は、本発明の選別に用いられる光学シート１０の一例を示す概略図である。光学シート１０は、拡散シート１１、レンズシート１２、及び偏光反射シート１３を含む。ここでは、バックライト側から拡散シート１１、レンズシート１２、１２’、偏光反射シート１３の順に４枚のシートが積層され構成された光学シート１０を図示している。光学シート１０は、拡散シート１１、レンズシート１２、及び偏光反射シート１３を全て含む必要は無く、何れか１種類以上を含んでいればよい。また、１枚のシートから構成されていてもよい。
【００２１】
拡散シート１１は、バックライトから出射される光の輝度分布を均一にするためのシートである。光学シート１０は、拡散シート１１を１枚含む場合もあれば、拡散シート１１を複数枚含む場合もある。レンズシート１２は、バックライトから出射される光を集光し、正面から見たときの輝度を向上させるためのシートである。光学シート１０がレンズシート１２を含む場合、レンズシート１２は、１枚又は２枚含まれる。レンズシート１２は、長手方向又は短手方向に略平行な複数の溝を有し、光学シート１０が２枚のレンズシート１２を含む場合、２枚のレンズシート１２は互いの溝が直交するように積層される。偏光反射シート１３は、所定の偏光成分の光を透過させて透過しない光を反射再利用することで、バックライトから出射される光の偏光成分を揃えて輝度を向上させるためのシートである。
【００２２】
本発明の光学シート選別装置は、光学シート１０の構成、即ち、光学シート１０に含まれる拡散シート１１、レンズシート１２、及び偏光反射シート１３の枚数を判定し、光学シート１０又は光学シート１０に含まれる各シートを選別することができる。
【００２３】
図２は、本実施形態の光学シート選別装置の概略を示す概略図である。光学シート選別装置１００は、光学シート１０へ光を照射する発光素子１０１と、光学シート１０の光学特性を測定する光学特性測定部１０２と、光学特性に基づいて光学シート１０の構成の判定を行う判定部１０３と、光学シート１０を選別する選別部１０４と、光学シート１０を搬送する搬送部１０５と、光学特性測定部１０２で所定の偏光成分の光を測定するための検光子１０６と、各部を制御するための制御手段である制御部１０７を備える。選別部１０４は、光学シート１０を回収するためのストッカ１０８と、ストッカ１０８へ光学シート１０を選別するためのアクチュエータ１０９を備える。
【００２４】
発光素子１０１は、光学シート１０へ照射光１１０を照射する照射手段であり、光学シート１０へ半値角±１０°以下の平行光を照射光１１０として照射する。発光素子１０１は、光学シート１０へ平行光を照射するためにレンズやルーバなどを用いてもよい。また、発光素子１０１は、可視域にスペクトルを有する白色光源であればよく、例えば発光ダイオードが用いられる。
【００２５】
光学特性測定部１０２は、光学シート１０の光学特性を測定する光学特性測定手段である。光学特性測定部１０２は、光学特性として、光学シート１０を透過した透過光１１１の強度分布を測定する。また、光学特性測定部１０２は、光学特性として、検光子１０６を介して透過光１１１を測定することで所定の偏光成分の光の輝度を測定することができる。
【００２６】
判定部１０３は、光学特性測定部１０２によって測定された光学シート１０の光学特性、即ち透過光１１１の輝度及び強度分布に基づいて、光学シート１０の構成を判定する判定手段である。選別部１０４は、ストッカ１０８とアクチュエータ１０９を有し、制御部１０７は、判定部１０３による光学シート１０の判定に基づいて選別部１０４のアクチュエータ１０９を制御し、光学シート１０をストッカ１０８へ選別する。即ち、選別部１０４は、判定部１０３による判定に基づいて制御部１０７により制御され、光学シート１０を選別する選別手段である。
【００２７】
搬送部１０５は、光学シートを各部へ搬送する搬送手段であり、ローラやコンベア、エア搬送装置などで構成される。アクチュエータ１０９は、傾斜板を動かすことで搬送部１０５により搬送された光学シート１０をストッカ１０８へ選別してもよいが、ストッカ１０８の高さを変えることで搬送部１０５により搬送された光学シート１０をストッカ１０８へ選別してもよい。
【００２８】
本発明の選別に用いられる光学シート１０は、廃棄された液晶表示装置を解体して回収される。回収された光学シート１０は、搬送部１０５により搬送され、光学特性測定部１０２により光学特性を測定された後、光学特性に基づいて構成を判定され、選別部１０４で選別される。選別された光学シート１０は、ユーザが要求する特性に対応して再利用することができる。
【００２９】
光学シート選別装置１００は、複数枚のシートから構成される光学シート１０の構成を判定し、その構成に応じて各シートが積層された光学シート１０を選別して回収してもよい。また、各シートの種類又は光学特性に応じてシート毎に選別して回収してもよい。或いは、１枚のシートから構成される光学シート１０をそのシートの種類又は光学特性に応じて選別し回収してもよい。選別部１０４は、複数枚のシートから構成される光学シート１０の各シートを選別する場合、例えば、光学シート１０から各シートを１枚ずつ送り出すローラを備え、送り出したシートをストッカ１０８で回収してもよい。
【００３０】
図３は、光学シート選別装置１００で測定する透過光１１１の輝度について説明するための説明図である。ここで、光学シート１０の長手方向をｘ軸方向、光学シート１０の短手方向をｙ軸方向、光学シート１０の法線方向をｚ軸方向としている。検光子１０６は、透過軸１１２を有し、透過軸１０９と同じ方向の偏光成分の光を透過させるため、光学特性測定部１０２は、検光子１０６の透過軸１１２と同じ方向の偏光成分の光を受光する。即ち、光学シート選別装置１００は、検光子１０６を回転させることで、光学特性測定部１０２によって所定の偏光成分の透過光１１１の輝度を測定することができる。
【００３１】
ここでは、偏光反射シート１３を含む光学シート１０を図示している。透過軸１１３は偏光反射シート１３の透過軸である。このとき、光学シート１０を透過する透過光１１１は透過軸１１３の方向に偏光している。そのため、光学特性測定部１０２によって測定される輝度は、透過軸１１３と同じ方向の偏光成分の光を受光したときに最も大きくなり、透過軸１１３と異なる方向の偏光成分の光を受光したときに小さくなる。即ち、光学特性測定部１０２によって測定される輝度は、図３（ａ）のように検光子１０６の透過軸１１２と光学シート１０の透過軸１１３を平行にしたときに最も大きくなり、図３（ｂ）のように透過軸１１２と透過軸１１３が平行でないときには輝度が小さくなる。
【００３２】
これに対し、光学シート１０が偏光反射シート１３を含まない場合、光学シート１０を透過する透過光１１１は偏光していない。そのため、検光子１０６によって、光学特性測定部１０２が受光する光の偏光成分を変化させても輝度は変わらない。したがって、光学シート選別装置１００は、検光子１０６の角度を０°、４５°などとして、光学特性測定部１０２により少なくとも２つの偏光成分の透過光１１１の輝度を測定することで、偏光反射シート１３の有無が分かる。ここで、検光子１０６の角度は、透過軸１１２とｘ軸との角度で表している。
【００３３】
図４は、本実施形態の光学特性測定部１０２で測定する透過光１１１の強度分布について説明するための説明図である。光学特性測定部１０２は、発光素子１０１から照射され光学シート１０を透過した透過光１１１を受光する。このとき、点Ｏから出射した透過光１１１の強度分布を求めることができる。即ち、点Ｏから出射する透過光１１１は、光学シート１０の構成によって指向性が異なり、強度が方向によって異なるため、その方向成分に進む透過光１１１の輝度を測定することによって、点Ｏから出射した透過光１１１の強度分布を得ることができる。
【００３４】
本実施形態は、透過光１１１の方向を、光学シート１０の法線方向の極角θと、光学シート１０に平行な平面方向の方位角φで表し、極角θをｚ軸との角度、方位角φをｘｙ平面上におけるｘ軸との角度で表すことで、透過光１１１の強度分布を、極角θに対する透過光１１１の角度特性で表している。即ち、光学特性測定部１０２は、所定の方位角φにおいて、各極角θにおける透過光１１１の輝度を測定することで、方位角φにおける角度特性を測定している。以下、光学シート１０を透過した透過光１１１の角度特性のことを、光学シート１０の角度特性とも呼ぶ。
【００３５】
図５は、偏光反射シート１３を含む光学シート１０の角度特性を測定した結果を示す図である。以下、本実施形態の角度特性は、極角θと輝度の関係を表しており、０°から８０°の範囲で示しているが、−８０°から０°の範囲においてもθ＝０°を対称軸として線対称の結果となる。そのため、以下極角θ＞０°の特性は、極角θ＜０°の場合においても同様である。図５は、検光子１０６の角度を０°と４５°として、検光子１０６を透過する異なる２つの偏光成分の光の輝度を測定し、各偏光成分の光の角度特性を測定した結果である。一般的に、偏光反射シート１３の透過軸の方向は、ｘ軸方向、ｙ軸方向、又はｘ軸と４５°の角度を成す方向の何れかであるため、本実施形態では、検光子１０６の角度を０°と４５°又は４５°と９０°として、検光子１０６の各角度において極角θに対する角度特性を測定した。
【００３６】
極角θを任意の角度θ１として、角度が０°の検光子１０６を透過した透過光１１１のθ＝θ１のときの輝度と、角度が４５°の検光子１０６を透過した透過光１１１のθ＝θ１のときの輝度に差が生じるとき、光学シート１０は偏光反射シート１３を含んでいることが分かる。即ち、判定部１０３は、異なる偏光成分の光の輝度に差が有れば、光学シート１０に含まれる偏光反射シート１３の枚数が１枚であることを判定することができる。また、判定部１０３は、偏光反射シート１３の透過軸の方向も判定することができ、図５に示す結果からは、偏光反射シート１３の透過軸の方向がｘ軸と平行な方向であることが分かる。逆に、異なる偏光成分の光の輝度に差が生じなければ、判定部１０３は、光学シート１０に含まれる偏光反射シート１３の枚数が０枚であることを判定することができる。
【００３７】
ここでは、偏光反射シート１３の有無を判定するために、異なる２つの偏光成分の光の角度特性、即ち、極角θが０°から８０°における輝度を測定しているが、偏光反射シート１３の有無を判定するために、極角θが所定の角度のときの輝度のみを測定してもよい。即ち、検光子１０６の角度を０°、４５°として、それぞれにおける極角θ＝０°のときの輝度、即ち正面輝度を測定し比較することで、偏光反射シート１３の有無を判定してもよい。また、検光子１０６の角度が０°のときは、極角θが０°から８０°のときの輝度を測定し、検光子１０６の角度が４５°のときは、極角θ＝０°のときの輝度を測定し、極角θ＝０°のときの輝度をそれぞれ比較することで、偏光反射シート１３の有無を判定してもよい。
【００３８】
図６は、拡散シート１１とレンズシート１２の角度特性、即ち、拡散シート１１のみを透過した透過光の角度特性と、レンズシート１２のみを透過した透過光の角度特性を説明するための説明図である。光学シート１０へ照射される照射光１１０は平行光であるため、光学シート１０を透過させずに照射光１１０の角度特性を測定すると、照射光１１０の輝度は、極角θが０°のときに最大であり、極角θの絶対値が大きくなるにつれて減少する。拡散シート１１の角度特性、即ち１枚の拡散シート１１から構成される光学シート１０を透過した透過光１１１の角度特性は、極角θが０°のときにピークを持ち、極角θの絶対値が大きくなるにつれて輝度が減少する。即ち、拡散シート１１を透過した透過光１１１の輝度は、極角θが０°のときに最大となる。拡散シート１１の角度特性は、方位角φによらず同様の結果が得られる。
【００３９】
これに対し、レンズシート１２の角度特性、即ち１枚のレンズシート１２から構成される光学シート１０を透過した透過光１１１の角度特性は、図６に示すように、極角θが０°のときに極小値を取り、極角θの絶対値が０°から大きくなるにつれて輝度が極大値まで増加し、さらに極角θの絶対値が大きくなると輝度が極小値まで減少する。
【００４０】
レンズシート１２は、互いに平行な複数の溝を有しており、溝に略直交する方向において、極角θ＞０°の範囲にピークを持つ角度特性を有している。図６に示したレンズシート１２の角度特性は、溝に直交する方向において測定した結果を示している。レンズシート１２を含む光学シート１０の角度特性を、図７を用いてより詳細に説明する。
【００４１】
図７は、直交する２つの方向において測定した光学シート１０の角度特性を説明するための説明図である。図７（ａ）は、１枚のレンズシート１２を含む光学シート１０の角度特性を示し、図７（ｂ）は、２枚のレンズシート１２を含む光学シート１０の角度特性を示している。
【００４２】
光学シート１０が１枚のレンズシート１２を含む場合、方位角φ＝０°の方向における角度特性と、方位角φ＝９０°の方向における角度特性は、ピークとなる点や輝度の値など相違した特性を有する。即ち、２つの角度特性のうちの何れか一方は、極角θ＞０°の範囲にピークを持つ。２つの角度特性のうちの他方は、拡散シート１１の角度特性のように、極角θ＝０°のときにピークを持つ。２つの角度特性の一方は、極角θが０°から大きくなるにつれて輝度が大きくなるのに対し、他方は、極角θが０°から大きくなるにつれて輝度が小さくなるため、極角θ＞０°における輝度の差も大きくなる。図７（ａ）において、φ＝０°の方向における角度特性は、θ＝０°でピークを持ち、φ＝９０°の方向における角度特性は、θ＝２３°及びθ＝６７°でピークを持つ。
【００４３】
これに対し、光学シート１０が２枚のレンズシート１２を含む場合、各レンズシート１２は溝が直交するように積層されるため、方位角φ＝０°及びφ＝９０°の直交する２つの方向における角度特性を測定すると、方位角φ＝０°の方向における角度特性と、方位角φ＝９０°の方向における角度特性は、ピークとなる点や輝度の値など類似した特性を有する。即ち、２つの角度特性の両方が、極角θ＞０°の範囲にピークを持つ。２つの角度特性は、極角θが０°から大きくなるにつれて輝度が大きくなるため、極角θ＞０°における輝度の差も小さくなる。図７（ｂ）において、φ＝０°の方向における角度特性は、θ＝３０°及びθ＝６６°でピークを持ち、φ＝９０°の方向における角度特性は、θ＝６１°でピークを持つ。
【００４４】
したがって、直交する２つの方位角における光学シート１０の角度特性の差を確認することで、光学シート１０に含まれるレンズシート１２の数を判定することができる。ここで、角度特性の差とは、ピークとなる極角の差や、輝度の値の差を含んでいる。
【００４５】
例えば、角度特性の差としてピークとなる極角の差を確認する場合、極角θ＞０°の範囲にピークを持つかどうかを確認する。即ち、直交する２つの方位角で測定された２つ角度特性において、２つの角度特性のうちの少なくとも一方が極角θ＞０°の範囲にピークを持つ場合、光学シート１０はレンズシート１２を含むことが分かる。特に、直交する２つの方位角で測定された２つ角度特性において、極角θ＞０°の範囲のピークの数が一方では１個以上かつ他方では０個の場合、光学シート１０に含まれるレンズシート１２の数は１枚であることが分かる。また、直交する２つの方位角で測定された２つ角度特性において、極角θ＞０°の範囲のピークの数が何れの場合でも１個以上の場合、光学シート１０に含まれるレンズシート１２の数は２枚であることが分かる。さらに、直交する２つの方位角で測定された２つ角度特性において、極角θ＞０°の範囲のピークの数が何れの場合でも０個の場合、光学シート１０に含まれるレンズシート１２の数は０枚であることが分かる。
【００４６】
角度特性の差としてピークとなる極角の差を確認する場合、極角θ＝０°におけるピークの有無を確認してもよい。また、角度特性の差として極角θ＞０°の範囲の任意の角度における輝度の差を確認してもよい。即ち、任意の角度のおける輝度の差が所定の値よりも大きいときに、光学シート１０に含まれるレンズシート１２の数を１枚と判定してもよい。
【００４７】
光学シート１０が１枚のレンズシート１２を含むとき、図７（ａ）のように方位角φ＝９０°の方向における角度特性が極角θ＞０°の範囲にピークを持つ場合には、レンズシート１２はｘ軸方向に略平行な溝を有することが分かり、方位角φ＝０°の方向における角度特性が極角θ＞０°の範囲にピークを持つ場合には、レンズシート１２はｙ軸方向に略平行な溝を有することが分かる。光学シート１０が１枚のレンズシート１２を含むとき、光学シート選別装置１００は、光学シート１０をレンズシート１２の枚数だけでなく溝の向きで選別してもよい。
【００４８】
次に、市場から回収された液晶モジュールに含まれる光学シート１０を、光学シート選別装置１００によって選別する処理の一例について説明する。市場から回収された液晶モジュールは、解体作業台により解体され、光学シート１０のみ、搬送部１０５によって搬送される。発光素子１０１は、搬送部１０５によって搬送された光学シート１０に対して照射光１１０を照射し、光学特性測定部１０２は、光学シート１０を透過した透過光１１１を受光し、透過光１１１の正面輝度と角度特性を測定する。ここでは、検光子１０６の角度を４５°とした正面輝度と、検光子１０６の角度を０°、方位角φを０°とした角度特性と、検光子１０６の角度を０°、方位角φを９０°とした角度特性を測定する。
【００４９】
正面輝度と角度特性を測定された光学シート１０は、搬送部１０５によって選別部１０４へ搬送される。判定部１０３は、光学特性測定部１０２によって測定された正面輝度及び角度特性に基づいて光学シート１０の構成を判定する。
【００５０】
図８は、本実施形態の光学シート選別装置１００による光学シート１０の構成を判別する処理の概略を説明するための概略図である。なお、フロー図の説明においては、「ステップ」を「Ｓ」で表し、各工程を数字で区別している。判定部１０３は、まず、異なる偏光成分の光の輝度、即ち、検光子１０６の角度を４５°とした正面輝度と検光子１０６の角度を０°とした正面輝度を参照し、各正面輝度に差が有るかを確認する（Ｓ１０１）。ここで、検光子１０６の角度を０°とした正面輝度は、方位角φを０°とした角度特性の極角θ＝０°のときの輝度を参照すればよく、方位角φを９０°とした角度特性の極角θ＝０°のときの輝度を参照してもよい。検光子１０６の角度を４５°とした正面輝度と検光子１０６の角度を０°とした正面輝度に差が有る場合（Ｓ１０１でＹＥＳ）、判定部１０３は、光学シート１０に含まれる偏光反射シート１３の枚数を１枚と判定する。判定部１０３により光学シート１０が偏光反射シート１３を含むと判定されると、制御部１０７は、選別部１０４を制御して光学シート１０から１枚の偏光反射シート１３を送り出し、回収する。
【００５１】
検光子１０６の角度を４５°とした正面輝度と検光子１０６の角度を０°とした正面輝度が等しく、差が無い場合（Ｓ１０１でＮＯ）、判定部１０３は、光学シート１０に含まれる偏光反射シート１３の枚数を０枚と判定する。続いて、判定部１０３は、方位角φ＝０°の角度特性と方位角φ＝９０°の角度特性を参照し、極角θ＞０°の範囲にピークを持つか確認する（Ｓ１０２）。方位角φ＝０°の角度特性と方位角φ＝９０°の角度特性の何れかでも極角θ＞０°の範囲にピークを持つ場合（Ｓ１０２でＹＥＳ）、光学シート１０にレンズシート１２が含まれることが分かる。
【００５２】
特に、方位角φ＝０°の角度特性又は方位角φ＝９０°の角度特性の何れか一方のみが極角θ＞０°の範囲にピークを持つ場合、判定部１０３は、光学シート１０に含まれるレンズシート１２の枚数を１枚と判定する。判定部１０３により光学シート１０が１枚のレンズシート１２を含むと判定されると、制御部１０７は、選別部１０４を制御して光学シート１０から１枚のレンズシート１２を送り出し、回収する。或いは、方位角φ＝０°の角度特性かつ方位角φ＝９０°の角度特性の両方が極角θ＞０°の範囲にピークを持つ場合、判定部１０３は、光学シート１０に含まれるレンズシート１２の枚数を２枚と判定する。判定部１０３により光学シート１０が２枚のレンズシート１２を含むと判定されると、制御部１０７は、選別部１０４を制御して光学シート１０から２枚のレンズシート１２を送り出し、回収する。
【００５３】
方位角φ＝０°の角度特性と方位角φ＝９０°の角度特性の何れも極角θ＞０°の範囲にピークを持たない場合（Ｓ１０２でＮＯ）、判定部１０３は、光学シート１０に含まれるレンズシート１２の枚数を０枚と判定する。制御部１０７は、選別部１０４を制御して残りの光学シート１０を送り出し、拡散シート１１として回収する。
【００５４】
拡散シート１１、レンズシート１２、及び偏光反射シート１３を選別するとき、制御部１０７は、アクチュエータ１０９を制御することで、ストッカ１０８の別々の棚へシートの種類毎に選別し、回収することができるため、各シートを用途別に再利用することができる。
【００５５】
ここでは、Ｓ１０１で光学シート１０に偏光反射シート１３が含まれるかを判定して選別し、Ｓ１０２で光学シート１０にレンズシート１２が含まれるかを判定して選別しているが、Ｓ１０２の判定を終えた後に拡散シート１１、レンズシート１２、及び偏光反射シート１３をそれぞれ選別してもよい。また、Ｓ１０２の判定を終えた後に光学シート１０をシートの枚数や種類に応じて積層された状態で選別してもよい。
【００５６】
以上のように、各偏光成分における輝度に基づいた判定（Ｓ１０１）により偏光反射シート１３を判定し、角度特性のピークに基づいた判定（Ｓ１０２）により拡散シート１１とレンズシート１２を判定することで、様々な光学シート１０の構成を判定し、選別することができる。
【００５７】
本実施形態は、光学シートを透過する光の輝度及び角度特性を測定することで光学シートを選別することができるため、識別素子が設けられていない様々な構成の光学シートを選別することができる。また、本実施形態は、選別された光学シートをユーザの要求に対応して再利用することができる。
【００５８】
本実施形態は、光学シートを構成する各シートをその種類に応じて回収することができるため、各シートを要求される種類毎に再利用することができる。また、本実施形態は、複数のシートが積層された光学シートをシートの枚数や種類に応じて積層された状態で回収することができるため、光学シートを複数のシートに分解させずに要求される特性に対応して再利用することができる。
[第二の実施形態]
【００５９】
次に、本発明の第二の実施形態について、図９に基づいて説明する。なお、第一の実施形態と同一の機能構成を有する構成要素については、同一の符号を付することにより重複説明を省略する。
【００６０】
図９は、本実施形態の光学シート選別装置２００の概略を説明するための概略図である。光学シート選別装置２００は、第一の実施形態の光学シート選別装置１００に加えて厚さ測定部２０１をさらに備える。厚さ測定部２０１は、可動部２０２と終端部２０３を有し、可動部２０２の可動距離によって光学シート１０の厚さを測定するための厚さ測定手段である。厚さ測定部２０１は、光学シート１０の搬送経路上で光学シート１０が光学特性を測定される位置に配置される。図１０（ａ）のように、光学シート１０は、搬送部１０５によって可動部２０２の上に搬送される。そして図１０（ｂ）のように、可動部２０２は、搬送された光学シート１０を押し上げて終端部２０３に突き当てる。厚さ測定部２０１は、このときの可動部２０３の移動距離と、移動前の可動部２０３と終端部２０４の距離の差から光学シート１０の厚さを測定することができる。
【００６１】
ここでは、可動部２０２を光学シート１０の下に配置しているが、光学シート１０の上方に配置して可動部２０２を光学シート１０の上面に押し当てるように移動させてもよい。このとき、終端部２０３は、光学シート１０の下に配置してもよいが無くてもよく、可動部２０２と搬送部１０５の距離と移動距離の差などから光学シート１０の厚さを測定してもよい。光学シート１０の厚さの測定と光学特性の測定は、同時に行ってもよく、別々に行ってもよい。選別部１０４は、判定部１０３による判定と厚さ測定部２０１で測定された厚さに基づいて制御部１０７により制御され、光学シート１０を選別する。
【００６２】
本実施形態の光学シート選別装置も、第一の実施形態と同様の方法で複数のシートが積層された光学シート１０をシートの枚数や種類に応じて積層された状態で回収することができる。このとき、光学シート１０の光学特性及び厚さに基づいて選別し回収することで、回収した光学シート１０の再利用においてユーザの要求に対応しやすくなる。１枚のシートから構成される光学シート１０も同様に種類と厚さに基づいて回収することができる。
【００６３】
複数枚のシートから構成される光学シート１０を構成するシート毎に再利用したい場合は、シート毎に分解してから１枚ずつ光学特性と厚さを測定することで、厚さと、種類又は光学特性に応じて選別し回収することができる。また、厚さ測定部２０１は、必ずしも光学シート１０の搬送経路上で光学シート１０が光学特性を測定される位置に配置される必要は無く、例えば、選別部１０４のシートを送り出すローラ（図示せず）とストッカ１０８の間に配置され、該ローラによって送り出されたシートの厚さを測定し、厚さに基づいてストッカ１０８に回収してもよい。
【００６４】
本実施形態は、光学シートの光学特性及び厚さに基づいて光学シートを選別するため、光学シートを効率よく再利用できる。
【００６５】
今回開示された実施の形態はすべての点で例示であって制限的なものではないと考えられるべきである。本発明の範囲は上記した説明ではなくて特許請求の範囲によって示され、特許請求の範囲と均等の意味及び範囲内での全ての変更が含まれることが意図される。
【産業上の利用可能性】
【００６６】
本発明の光学シート選別装置によれば、光学シートの構成を光学特性に基づいて判定して選別するので、様々な光学シートを選別することができる。
【符号の説明】
【００６７】
１０  光学シート、１１  拡散シート、１２  レンズシート、１３  偏光反射シート、
１００  光学シート選別装置、１０１  発光素子、１０２  光学特性測定部、
１０３  判定部、１０４  選別部、１０５  搬送部、１０６  検光子、１０７  制御部、
２０１  厚さ測定部
【図１】
2013130749.tif 000003
【図２】
2013130749.tif 000004
【図３】
2013130749.tif 000005
【図４】
2013130749.tif 000006
【図５】
2013130749.tif 000007
【図６】
2013130749.tif 000008
【図７】
2013130749.tif 000009
【図８】
2013130749.tif 000010
【図９】
2013130749.tif 000011
【図１０】
2013130749.tif 000012